【手続補正書】
【提出日】平成25年11月5日(2013.11.5)
【手続補正１】
【補正対象書類名】特許請求の範囲
【補正対象項目名】全文
【補正方法】変更
【補正の内容】
【特許請求の範囲】
【請求項１】
副走査方向に移動する像担持体に対し、該副走査方向と直交する方向である主走査方向に露光手段による露光走査を行うことで、該像担持体上に静電潜像を形成する画像形成装置であって、
前記像担持体に前記露光手段による露光走査を行う際の、該像担持体上での前記副走査方向の走査位置を示す位置情報を取得する走査線位置取得手段と、
該走査線位置取得手段により取得された、前記像担持体に前記露光手段による露光走査を行う着目走査線についての前記位置情報と、該着目走査線より前に露光走査された露光済み走査線についての前記位置情報とに基づいて、前記着目走査線と該着目走査線に後続して露光されることになる後続走査線との前記副走査方向における予測される距離を示す第１の走査線間隔と、前記着目走査線と前記露光済み走査線との前記副走査方向における距離を示す第２の走査線間隔と、を算出する走査線間隔算出手段と、
前記第１および第２の走査線間隔を用いて算出される前記着目走査線における予測濃度を算出する予測濃度算出手段と、
予め定められた着目走査線における基準とする濃度と前記予測濃度とが等しくなるように、該着目走査線の露光量に対する補正率を算出する補正率算出手段と、
前記着目走査線に対して設定された露光量に対し、前記補正率を乗じることで補正を施す露光量補正手段とを有することを特徴とする画像形成装置。
【請求項２】
前記走査線間隔算出手段は、前記着目走査線と該着目走査線に隣接する前記後続走査線との距離を前記第１の走査線間隔として算出し、前記着目走査線と該着目走査線に隣接する前記露光済み走査線との距離を前記第２の走査線間隔として算出することを特徴とする請求項１に記載の画像形成装置。
【請求項３】
前記走査線位置取得手段が取得する前記着目走査線についての前記位置情報は、前記像担持体上における該着目走査線の理論上の位置を基準とした相対位置を示す情報であることを特徴とする請求項１または２に記載の画像形成装置。
【請求項４】
前記走査線位置取得手段は、前記露光済み走査線については既に取得されている前記位置情報に基準走査線間隔を加算することで該位置情報を更新することを特徴とする請求項１乃至３のいずれか１項に記載の画像形成装置。
【請求項５】
前記走査線間隔算出手段は、前記第２の走査線間隔を、既に取得されている前記露光済み走査線についての前記位置情報を用いた予測により算出することを特徴とする請求項１乃至４のいずれか１項に記載の画像形成装置。
【請求項６】
副走査方向に移動する像担持体に対し、該副走査方向と直交する方向である主走査方向への露光手段による１回の露光走査で複数本の走査線を互いに所定の走査線数分の間隔を空けて形成する画像形成装置であって、
前記像担持体に前記露光手段による露光走査を行う際の、該像担持体上で前記副走査方向に形成される複数本の走査線のそれぞれの走査位置を示す位置情報を取得する走査線位置取得手段と、
前記走査線位置取得手段により取得された、前記像担持体に前記露光手段の着目走査によって形成される複数本の走査線についての前記位置情報と、該着目走査より前に露光走査された露光済み走査線についての前記位置情報とに基づいて、前記着目走査によって形成される複数本の走査線のうち、前記露光済み走査線に挟まれる走査線を着目走査線として、前記副走査方向において該着目走査線と該着目走査線を挟む走査線のそれぞれとの距離を示す第１および第２の走査線間隔を算出する走査線間隔算出手段と、
前記第１および第２の走査線間隔を用いて算出される前記着目走査線における予測濃度を算出する予測濃度算出手段と、
予め定められた着目走査線における基準とする濃度と前記予測濃度とが等しくなるように、前記着目走査線の露光量に対する補正率を算出する補正率算出手段と、
前記着目走査線に対して設定された露光量に対し、前記補正率を乗じることで補正を施す露光量補正手段と、を有し、
前記露光手段は、前記着目走査の際に、前記着目走査線については前記露光量補正手段で補正された露光量による露光走査を行い、前記着目走査線でない走査線については予め設定された露光量による露光走査を行うことを特徴とする画像形成装置。
【請求項７】
露光手段、走査線位置取得手段、走査線間隔算出手段、予測濃度算出手段、補正率算出手段、および露光量補正手段を有し、副走査方向に移動する像担持体に対し、該副走査方向と直交する方向である主走査方向に前記露光手段による露光走査を行うことで、該像担持体上に静電潜像を形成する画像形成装置の制御方法であって、
前記走査線位置取得手段が、前記像担持体に前記露光手段による露光走査を行う際の、該像担持体上での前記副走査方向の走査位置を示す位置情報を取得する走査線位置取得ステップと、
前記走査線間隔算出手段が、該走査線位置取得手段により取得された、前記像担持体に前記露光手段による露光走査を行う着目走査線についての前記位置情報と、該着目走査線より前に露光走査された露光済み走査線についての前記位置情報とに基づいて、前記着目走査線と該着目走査線に後続して露光されることになる後続走査線との前記副走査方向における予測される距離を示す第１の走査線間隔と、前記着目走査線と前記露光済み走査線との前記副走査方向における距離を示す第２の走査線間隔と、を算出する走査線間隔算出ステップと、
前記予測濃度算出手段が、前記第１および第２の走査線間隔を用いて算出される前記着目走査線における予測濃度を算出する予測濃度算出ステップと、
前記補正率算出手段が、予め定められた着目走査線における基準とする濃度と前記予測濃度とが等しくなるように、該着目走査線の露光量に対する補正率を算出する補正率算出ステップと、
前記露光量補正手段が、前記着目走査線に対して設定された露光量に対し、前記補正率を乗じることで補正を施す露光量補正ステップとを有することを特徴とする制御方法。
【請求項８】
画像形成装置のプロセッサで実行されることにより、該プロセッサを請求項１乃至６のいずれか１項に記載の画像形成装置の各手段として機能させるためのプログラム。
【手続補正２】
【補正対象書類名】明細書
【補正対象項目名】００１１
【補正方法】変更
【補正の内容】
【００１１】
すなわち、副走査方向に移動する像担持体に対し、該副走査方向と直交する方向である主走査方向に露光手段による露光走査を行うことで、該像担持体上に静電潜像を形成する画像形成装置であって、
前記像担持体に前記露光手段による露光走査を行う際の、該像担持体上での前記副走査方向の走査位置を示す位置情報を取得する走査線位置取得手段と、
該走査線位置取得手段により取得された、前記像担持体に前記露光手段による露光走査を行う着目走査線についての前記位置情報と、該着目走査線より前に露光走査された露光済み走査線についての前記位置情報とに基づいて、前記着目走査線と該着目走査線に後続して露光されることになる後続走査線との前記副走査方向における予測される距離を示す第１の走査線間隔と、前記着目走査線と前記露光済み走査線との前記副走査方向における距離を示す第２の走査線間隔と、を算出する走査線間隔算出手段と、
前記第１および第２の走査線間隔を用いて算出される前記着目走査線における予測濃度を算出する予測濃度算出手段と、
予め定められた着目走査線における基準とする濃度と前記予測濃度が等しくなるように、該着目走査線の露光量に対する補正率を算出する補正率算出手段と、
前記着目走査線に対して設定された露光量に対し、前記補正率を乗じることで補正を施す露光量補正手段とを有することを特徴とする。